(57)【要約】【課題】ループスルー出力を有さない一般的なテレビ受信用のチューナモジュールとの組合せによって効率的にループスルーを設けるように構成された分配器を提供する。【解決手段】分配器１００ａ，１００ｂは、ＲＦ信号を受ける入力端子１０１ａ，１０１ｂと、ループスルー端子１０２ａ，１０２ｂと、増幅回路１１０ａ，１１０ｂと、分配回路１２０ａ，１２０ｂと、接続用端子１０５ａ，１０５ｂとを含む。分配回路１２０ａ，１２０ｂは、ＲＦ信号を２系統に分配して、ループスルー端子１０２ａ，１０２ｂと、接続用端子１０５ａ，１０５ｂとへ出力する。接続用端子１０５ａ，１０５ｂは、チューナモジュール６００の放送波入力端子６１０，６０２と接続される。チューナシステム１０００は、ループスルー端子１０２ａ，１０２ｂにより、入力端子１０１ａ，１０１ｂに入力されたＲＦ信号を他の機器に対して出力できる。【選択図】図８
2014022971.tif 000002
【特許請求の範囲】
【請求項１】
チューナモジュールの放送波入力端子に接続するための分配器であって、
アンテナで受信された放送波信号の入力を受けるための入力端子と、
前記放送波信号を２系統に分配して第１および第２の出力ノードから出力するための分配回路と、
前記分配回路の前記第１の出力ノードと電気的に接続された、前記チューナモジュールの放送波入力端子への接続用端子と、
前記分配回路の前記第２の出力ノードと電気的に接続されたループスルー端子とを備える、分配器。
【請求項２】
前記入力端子および前記ループスルー端子は、前記分配器の側面側に設けられ、
前記接続用端子は、前記分配器の底面側に設けられる、請求項１記載の分配器。
【請求項３】
前記接続用端子は、前記分配器の基板に直接搭載される、請求項２記載の分配器。
【請求項４】
前記チューナモジュールが実装される基板に対して電気的に接続されるように構成された接地端子をさらに備える、請求項１〜３のいずれか１項に記載の分配器。
【請求項５】
前記接続用端子および前記放送波入力端子を介して前記チューナモジュールから電力供給を受けるための電源回路をさらに備える、請求項１〜４のいずれか１項に記載の分配器。
【請求項６】
放送波入力端子がモジュールの実装面に対して垂直方向に沿って設けられた、ループスルーを有さないチューナモジュールと、
分配器とを備え、
前記分配器は、
アンテナで受信された放送波信号の入力を受けるための入力端子と、
前記放送波信号を２系統に分配して第１および第２の出力ノードから出力するための分配回路と、
前記分配回路の前記第１の出力ノードと電気的に接続された、前記チューナモジュールの放送波入力端子と接続される接続用端子と、
前記分配回路の前記第２の出力ノードと電気的に接続されたループスルー端子とを含む、チューナシステム。
【請求項７】
前記入力端子および前記ループスルー端子は、前記分配器の側面側に、前記放送波入力端子が設けられる方向に対して交差する方向に沿って突出するように設けられる、請求項６記載のチューナシステム。
【請求項８】
前記分配器は、
前記チューナモジュールを実装する基板に対して電気的に接続されるように構成された接地端子をさらに含む、請求項６または７記載のチューナシステム。
【請求項９】
前記分配器は、
前記接続用端子および前記放送波入力端子を介して前記チューナモジュールから電力供給を受けるための電源回路をさらに含む、請求項６〜８のいずれか１項に記載のチューナシステム。
【発明の詳細な説明】
【技術分野】
【０００１】
この発明は、分配器およびそれを備えるチューナシステムに関し、より特定的には、ループスルー付きの分配器に関する。
【背景技術】
【０００２】
テレビ放送の受信システムにおいて、分配器を内蔵した構成が知られている。たとえば、特開平５−２９９７２号公報（特許文献１）には、分配器を内蔵した衛星放送受信用チューナの構成が記載されている。特許文献１では、分配器内蔵型チューナおよび分配器非内蔵型チューナの両方について、同一のチューナ基板でかつそれを覆うフレームサイズも同様のものとするための構成が記載されている。
【先行技術文献】
【特許文献】
【０００３】
【特許文献１】特開平５−２９９７２号公報
【発明の概要】
【発明が解決しようとする課題】
【０００４】
近年では、テレビ放送受信用のチューナＩＣ（Integrated  Circuit）の小型化、高性能化が進んでおり、１つのモジュール内で複数のチューナ機能を有することが可能となっている。それに伴い、レコーダやセットトップボックスの高機能化が進み、複数の機能を持つチューナを搭載したモジュールが必要とされるようになった。
【０００５】
一方で、アンテナで受信された放送波信号が出力される家庭用の壁面アンテナ端子は、通常単一系統で設けられるので、レコーダやセットトップボックスを組み込んで、テレビ受信システムを構成する際には、ループスルー出力が必要となる。たとえば、壁面アンテナ端子をレコーダ／セットトップボックスの入力端子と接続し、レコーダ／セットトップボックスの出力端子（ループスルー出力）を、テレビ受像機（テレビチューナ）の入力端子と接続することで、テレビ放送波を、レコーダ／セットトップボックスとテレビ受像機との両方で受信することができる。
【０００６】
しかしながら、多機能商品であるレコーダ／セットトップボックスに、さらにループスルー出力を設けることにより、サイズの大型化が懸念される。また、多品種少量生産の傾向にあるレコーダ／セットトップボックスの各機種にループスルー出力を設けると、設計のカスタム化を招くことから、開発効率が低下する虞がある。
【０００７】
一方、レコーダ／セットトップボックスを用いずに、壁面端子をテレビ用のチューナの入力端子と接続することによっても、テレビ受信システムを簡易に構成することができるので、テレビ用のチューナに一律にループスルー出力を設けることは非効率である。
【０００８】
この発明はこのような問題点を解決するためになされたものであって、この発明の目的は、ループスルー出力を有さない一般的なテレビ受信用のチューナモジュールとの組合せによって、効率的にループスルーを設けるように構成された分配器および、当該分配器を用いて効率的に構成されたチューナシステムを提供することである。
【課題を解決するための手段】
【０００９】
本発明のある局面に従うと、チューナモジュールの放送波入力端子に接続するための分配器であって、入力端子と、分配回路と、チューナモジュールの放送波入力端子への接続用端子と、ループスルー端子とを含む。入力端子は、アンテナで受信された放送波信号の入力を受けるように構成される。分配回路は、放送波信号を２系統に分配して第１および第２の出力ノードから出力するように構成される。接続用端子は、分配回路の第１の出力ノードと電気的に接続される。ループスルー端子は、分配回路の第２の出力ノードと電気的に接続される。
【００１０】
好ましくは、入力端子およびループスルー端子は、分配器の側面側に設けられ、接続用端子は、分配器の底面側に設けられる。さらに好ましくは、接続用端子は、分配器の基板に直接搭載される。
【００１１】
好ましくは、分配器は、チューナモジュールが実装される基板に対して電気的に接続されるように構成された接地端子をさらに含む。
【００１２】
本発明の他の局面に従うと、チューナシステムは、ループスルーを有さないチューナモジュールと、分配器とを含む。チューナモジュールの放送波入力端子は、モジュールの実装面に対して垂直方向に沿って設けられる。分配器は、入力端子と、分配回路と、チューナモジュールの放送波入力端子への接続用端子と、ループスルー端子とを含む。入力端子は、アンテナで受信された放送波信号の入力を受けるように構成される。分配回路は、放送波信号を２系統に分配して第１および第２の出力ノードから出力するように構成される。接続用端子は、分配回路の第１の出力ノードと電気的に接続される。ループスルー端子は、分配回路の第２の出力ノードと電気的に接続される。
【００１３】
好ましくは、分配器の入力端子およびループスルー端子は、分配器の側面側に、放送波入力端子が設けられる方向に対して交差する方向に沿って突出するように設けられる。
【００１４】
また好ましくは、分配器は、チューナモジュールを実装する基板に対して電気的に接続されるように構成された接地端子をさらに有する。
【００１５】
さらに好ましくは、分配器は、接続用端子および放送波入力端子を介してチューナモジュールから電力供給を受けるための電源回路をさらに有する。
【発明の効果】
【００１６】
この発明によれば、ループスルー出力を有さない一般的なテレビ受信用のチューナモジュールとの組合せによって、効率的にループスルーを設けるように構成された分配器および、当該分配器を用いて効率的に構成されたチューナシステムを提供することができる。
【図面の簡単な説明】
【００１７】
【図１】一般的なレコーダ用モジュールの構成を説明する概略ブロック図である。
【図２】一般的なＴＶ汎用モジュールの構成を説明する概略ブロック図である。
【図３】一般的なレコーダ用モジュールおよびＴＶ汎用モジュールの上面側からの外観図である。
【図４】実施の形態１によるループスルー付き分配器の構成を説明する概略ブロック図である。
【図５】実施の形態１によるループスルー付き分配器の端子配置を示す外観図である。
【図６】実施の形態１による分配器とチューナモジュールとの接続態様を説明するための概念図である。
【図７】実施の形態１の変形例に従うループスルー付き分配器の端子配置を示す外観図である。
【図８】本発明の実施の形態２に従うチューナシステムの構成を示すブロック図である。
【図９】図１に示したレコーダ用モジュールの正面図である。
【図１０】実施の形態２に従うチューナシステムの正面図である。
【図１１】図１に示したレコーダ用モジュールの側面図である。
【図１２】実施の形態２に従うチューナシステムの側面図である。
【図１３】図１に示したレコーダ用モジュールの平面図である。
【図１４】実施の形態２に従うチューナシステムの平面図である。
【発明を実施するための形態】
【００１８】
以下、本発明の実施の形態について図面を参照して詳細に説明する。なお以下図中の同一または相当部分には同一符号を付してその説明は原則的に繰返さないものとする。
【００１９】
［比較例の説明］
まず、レコーダ／セットトップボックスに用いられる一般的なレコーダ用チューナモジュール（以下、単に「レコーダ用モジュール」とも称する）と、一般的なテレビ受信用のチューナモジュール（以下、「ＴＶ汎用モジュール」とも称する）との構成を比較例として説明する。
【００２０】
図１は、一般的なレコーダ用モジュールの構成を説明する概略ブロック図である。
図１を参照して、レコーダ用モジュール５００は、入力端子５０１，５０３と、ループスルー端子５０２，５０４と、増幅回路５１０，５１５と、分配回路５２０，５２５と、複数のチューナＩＣ５３０，５４０，５５０，５６０とを有する。
【００２１】
入力端子５０１は、図示しないアンテナによって受信された、衛星放送の放送波信号であるＲＦ（Radio  Frequency）信号を受ける。入力端子５０３は、図示しないアンテナによって受信された、地上波放送の放送波信号であるＲＦ信号を受ける。
【００２２】
増幅回路５１０，５１５は、代表的にはＬＮＡ（Low  Noise  Amplifier）によって構成される。増幅回路５１０は、入力端子５０１に入力されたＲＦ信号を増幅する。増幅回路５１５は、入力端子５０３に入力されたＲＦ信号を増幅する。
【００２３】
増幅回路５１０で増幅されたＲＦ信号は、分配回路５２０の入力ノードに入力される。分配回路５２０は、入力ノードに入力された信号を、第１〜第３の出力ノードに分配して出力する。分配回路５２０の第１の出力ノードは、第１の衛星チューナＩＣ５３０に入力される。分配回路５２０の第２の出力ノードの信号は、第２の衛星チューナＩＣ５４０に入力される。これにより、衛星放送用の複数のチューナＩＣのそれぞれに対して、入力端子５０１に入力された衛星放送のＲＦ信号を入力することができる。
【００２４】
増幅回路５１５で増幅されたＲＦ信号は、分配回路５２５の入力ノードに入力される。分配回路５２５は、入力ノードに入力された信号を、第１〜第３の出力ノードに分配して出力する。分配回路５２５の第１の出力ノードの信号は、第１の地上波チューナＩＣ５５０に入力される。分配回路５２５の第２の出力ノードの信号は、第２の地上波チューナＩＣ５６０に入力される。これにより、地上波放送用の複数のチューナＩＣのそれぞれに対して、入力端子５０３に入力された地上波放送のＲＦ信号を入力することができる。
【００２５】
さらに、分配回路５２０の第３の出力ノードは、ループスルー端子５０２と接続される。同様に、分配回路５２５の第３の出力ノードは、ループスルー端子５０４と接続される。したがって、ループスルー端子５０２からは、入力端子５０１に入力された衛星放送のＲＦ信号が出力される。同様に、ループスルー端子５０４からは、入力端子５０３に入力された地上波放送のＲＦ信号が出力される。上述のように、これらのループスルー出力を、テレビ受像機のチューナモジュールへ入力することによって、単一系統の壁面端子から出力されるテレビ放送波を、レコーダ／セットトップボックスとテレビ受像機との両方で受信することができる。
【００２６】
このように、一般的なレコーダ用モジュール５００では、ループスルーを設けるために、入力ノードへの入力信号を３つの出力モードに対して分配する３分配器が必要となる。また、端子間の間隔を確保する必要もあるため、サイズが大型化する傾向にある。
【００２７】
図２は、一般的なＴＶ汎用モジュールの構成を説明する概略ブロック図である。
図２を参照して、ＴＶ汎用モジュール６００は、入力端子６０１，６０２と、増幅回路６１０，６１５と、分配回路６２０，６２５と、チューナＩＣ６３０，６４０，６５０，６６０とを有する。
【００２８】
入力端子６０１は、図示しないアンテナによって受信された、衛星放送の放送波信号であるＲＦ信号を受ける。入力端子６０２は、図示しないアンテナによって受信された、地上波放送の放送波信号であるＲＦ信号を受ける。
【００２９】
増幅回路６１０，６１５は、代表的にはＬＮＡによって構成される。増幅回路６１０は、入力端子６０１に入力されたＲＦ信号を増幅する。増幅回路６１５は、入力端子６０２に入力されたＲＦ信号を増幅する。
【００３０】
増幅回路６１０で増幅されたＲＦ信号は、分配回路６２０の入力ノードに入力される。分配回路６２０は、入力ノードに入力された信号を、第１および第２の出力ノードに分配して出力する。分配回路６２０の第１の出力ノードの信号は、第１の衛星チューナＩＣ６３０に入力される。分配回路６２０の第２の出力ノードの信号は、第２の衛星チューナＩＣ６４０に入力される。これにより、衛星放送用の複数チューナＩＣのそれぞれに対して、入力端子６０１に入力された衛星放送のＲＦ信号を入力することができる。
【００３１】
増幅回路６１５で増幅されたＲＦ信号は、分配回路６２５の入力ノードに入力される。分配回路６２５は、入力ノードに入力された信号を、第１および第２の出力ノードに分配して出力する。分配回路６２５の第１の出力ノードの信号は、第１の地上波チューナＩＣ６５０に入力される。分配回路６２５の第２の出力ノードの信号は、第２の地上波チューナＩＣ６６０に入力される。これにより、地上波放送用の複数のチューナＩＣのそれぞれに対して、入力端子６０２に入力された地上波放送のＲＦ信号を入力することができる。
【００３２】
上述のように、ＴＶ汎用モジュールは、レコーダないしセットトップボックスと接続する場合にも、その下流側に接続される態様が一般的である。このため、ＴＶ汎用モジュールは、ループスルー端子を設けることなく安価かつ小型に設計されることが好ましい。
【００３３】
図３には、一般的なレコーダ用モジュールおよびＴＶ汎用モジュールの上面側からの外観図が同一縮尺で比較される。
【００３４】
図３を参照して、ＴＶ汎用モジュール６００（図２）と比較すると、ループスルー端子を設けたレコーダ用モジュール５００（図１）は、かなり大型化されることが理解される。
【００３５】
また、比較的少量生産品種であるレコーダ／セットトップボックスに、ループスルー出力を設けると、機種毎の搭載設計が必要となるため、ループスルー機能を搭載するための設計が共通化できないことから、開発効率が低下する虞がある。
【００３６】
したがって、本実施の形態では、図２に示したＴＶ汎用モジュール６００と組合せることによって、ループスルーを有するレコーダ用モジュール５００と同等の機能を効率的に実現することを目的とした、ループスルー付き分配器の構成について説明する。
【００３７】
［実施の形態１］
図４は、本発明の実施の形態１によるループスルー付き分配器の構成を説明する概略ブロック図である。
【００３８】
図４を参照して、実施の形態１による分配器１００は、入力端子１０１と、増幅回路１１０と、分配回路１２０と、ループスルー端子１０２と、チューナモジュールへの接続用端子１０５と、電源端子１７０と、電源回路１８０とを有する。
【００３９】
入力端子１０１は、衛星放送または地上波放送の放送波信号であるＲＦ信号を入力するために設けられる。増幅回路１１０は、代表的にはＬＮＡで構成されて、入力端子１０１に入力されたＲＦ信号を増幅する。増幅回路１１０で増幅されたＲＦ信号は、分配回路１２０に入力される。
【００４０】
分配回路１２０は、入力された信号を、第１および第２の出力ノードに分配して出力する。分配回路１２０の第１の出力ノードの信号は、チューナモジュールへの接続用端子１０５と電気的に接続される。分配回路１２０の第２の出力ノードは、ループスルー端子１０２と電気的に接続される。
【００４１】
接続用端子１０５は、チューナモジュールの放送波入力端子、代表的には、図２に示したＴＶ汎用モジュール６００の入力端子６０１，６０２と接続するように構成される。さらに、入力端子１０１に入力されたＲＦ信号（衛星放送または地上波放送）は、ループスルー端子１０２から出力される。すなわち、入力端子１０１に入力された放送波信号を他の機器に対して出力することができる。
【００４２】
電源端子１７０は、たとえば電源用のピン端子、ＦＦＣ（Flexible  Flat  Cable）、あるいはコネクタケーブル等と接続されることによって、分配器１００の外部から電力の供給を受けるように構成される。電源回路１８０は、電源端子１７０に供給された電力を、分配器１００の内部回路群の動作電源電圧に変換するように構成される。
【００４３】
図５は、実施の形態１による分配器１００の端子配置を示すための外観図である。
図５を参照して、入力端子１０１およびループスルー端子１０２は、分配器１００の実装時に、実装面に対して水平方向に向けて突出するように設けられる。すなわち、分配器１００は、いわゆる、アンテナ水平タイプの分配器である。
【００４４】
これに対して、接続用端子１０５は、分配器１００の実装時に、下面方向に突出するように設けられる。すなわち、分配器１００は、好ましくは、分配器１００の下側に配置されたチューナモジュールへの接続を前提として構成される。
【００４５】
図６には、実施の形態１による分配器１００とチューナモジュールとの接続態様が示される。
【００４６】
図６を参照して、分配器１００は、下面側に配置されたチューナモジュールと接続される。たとえば、分配器１００は、図２に示したＴＶ汎用モジュール６００と接続される。図３に示したように、ＴＶ汎用モジュール６００は、入力端子６０１，６０２が筐体の上面側に設けられた、アンテナ天面出し伏せ型モジュールである。
【００４７】
図６に記載されるように、分配器１００の下面側に設けられた接続用端子１０５は、分配器１００の下側に配置されたＴＶ汎用モジュール６００の上面（天面）側に設けられた入力端子６０１または６０２と接続可能である。すなわち、接続用端子１０５のコネクタ形状は、ＴＶ汎用モジュール６００の入力端子６０１，６０２と、直接あるいは所定規格のケーブル等を介して間接的に接続可能な態様で設けられる。
【００４８】
このように、接続用端子１０５と入力端子６０１，６０２とを接続することにより、分配器１００の入力端子１０１に入力された放送波信号を分配して、一方をＴＶ汎用モジュール６００へ与えることが可能である。
【００４９】
また、図６中に点線で示されるように、接続用端子１０５および入力端子６０１，６０２を経由して、分配器１００の動作電力をＴＶ汎用モジュール６００から供給してもよい。この場合には、電源回路１８０は、接続用端子１０５と電気的に接続されるように構成される。また、電源端子１７０は省略することが可能である。
【００５０】
図７は、実施の形態１の変形例に従うループスルー付き分配器の端子配置を示す外観図である。
【００５１】
図７を参照して、実施の形態１の変形例に従う分配器１００♯は、図４に示した分配器１００と比較して、接地端子１０７，１０８をさらに有する。
【００５２】
接地端子１０７，１０８は、分配器１００♯がＴＶ汎用モジュール６００に対して接続される際に、チューナモジュール（ＴＶ汎用モジュール６００）の実装基板の接地端子と接続されるように構成される。このようにすると、分配器１００♯の搭載基板の接地が強化されるので、回路動作を安定化することができる。
【００５３】
さらに、実施の形態１の変形例に従う分配器１００♯では、接続用端子１０５が、図５に示したような分配器１００の筐体ではなく、分配器の実装基板１８５に直接搭載されるようになる。これにより、チューナモジュール（ＴＶ汎用モジュール６００）と接続する際に、省スペース化を図ることが可能となる。
【００５４】
［実施の形態２］
実施の形態２では、図２に示したＴＶ汎用モジュールと、実施の形態１または変形例に従う分配器との組み合わせによるチューナシステムについて説明する。
【００５５】
図８は、本発明の実施の形態２に従うチューナシステムの構成を示すブロック図である。
【００５６】
図８を参照して、実施の形態２に従うチューナシステム１０００は、分配器１００ａ，１００ｂと、図２に示したＴＶ汎用モジュール６００とを含む。分配器１００ａ，１００ｂは、実施の形態１による分配器１００（図４）または実施の形態１の変形例に従う分配器１００♯（図７）と同様に構成される。すなわち、分配器１００ａ，１００ｂは、ループスルー端子１０２ａ，１０２ｂを有する。
【００５７】
分配器１００ａの入力端子１０１ａは、図示しないアンテナによって受信された、衛星放送のＲＦ信号（放送波信号）を受ける。同様に、分配器１００ｂの入力端子１０１ｂは、図示しないアンテナによって受信された、地上波放送のＲＦ信号（放送波信号）を受ける。
【００５８】
増幅回路１１０ａ，１１０ｂは、図４の増幅回路１１０と同様に、入力端子１０１ａ，１０１ｂに入力されたＲＦ信号を増幅する。分配器１００ａにおいて、分配回路１２０ａは、増幅回路１１０ａの出力信号を２系統に分配して、接続用端子１０５ａおよびループスルー端子１０２ａのそれぞれから出力する。同様に、分配器１００ｂにおいて、分配回路１２０ｂは、増幅回路１１０ｂの出力信号を２系統に分配して、接続用端子１０５ｂおよびループスルー端子１０２ｂのそれぞれから出力する。
【００５９】
接続用端子１０５ａは、ＴＶ汎用モジュール６００の入力端子６０１と接続される。すなわち、入力端子６０１には、衛星放送の放送波信号であるＲＦ信号が入力される。同様に、接続用端子１０５ｂは、ＴＶ汎用モジュール６００の入力端子６０２と接続される。すなわち、入力端子６０１には、地上波放送の放送波信号であるＲＦ信号が入力される。
【００６０】
ＴＶ汎用モジュール６００において、入力端子６０１に入力されたＲＦ信号（衛星放送）は、増幅回路６１０によって増幅された後、分配回路６２０によって分配されて、第１の衛星チューナＩＣ６３０および第２の衛星チューナＩＣ６４０に入力される。さらに、入力端子６０２に入力されたＲＦ信号（地上波放送）は、増幅回路６１５によって増幅された後、分配回路６２５によって分配されて、第１の地上波チューナＩＣ６５０および第２の地上波チューナＩＣ６６０に入力される。
【００６１】
このように、チューナシステム１０００では、図１に示したレコーダ用モジュール５００と同様に、衛星放送および地上波放送の放送波信号のそれぞれについて、２系統のチューナＩＣ６３０，６４０および６５０，６６０に入力するとともに、ループスルーを設けることができる。したがって、実施の形態２に従うチューナシステム１０００は、一般的なＴＶ汎用モジュール６００に対して、本実施の形態に従うループスルー付き分配器を２個組み合わせることによって、図１に示した従来のレコーダ用モジュール５００と同等の機能を有することができる。この結果、レコーダ用モジュール５００と同等のチューナシステムを、専用の設計を行なうことなく、部品の組み合わせによって効率的に構成することができる。
【００６２】
なお、図６でも説明したように、分配器１００ａ，１００ｂの電源については、ＴＶ汎用モジュール６００から接続用端子１０５ａ，１０５ｂを介して供給する構成とすることが好ましい。この場合には、電源回路１８０ａ，１８０ｂは、接続用端子１０５ａ，１０５ｂに伝達された電力を、分配器１００ａ，１００ｂ内部の動作電源に変換するように構成される。
【００６３】
また、分配器１００ａ，１００ｂにおいて、分配器１００♯（図７）と同様の接地端子１０７，１０８を、ＴＶ汎用モジュール６００の実装基板の接地端子と接続されるように設けてもよい。
【００６４】
次に図９〜図１４を用いて、実施の形態２に従うチューナシステム１０００および図１に示したレコーダ用モジュール５００の外観図から両者のサイズを比較する。チューナシステム１０００については、分配器１００ａ，１００ｂと、ＴＶ汎用モジュール６００とが接続された状態の外観図が示される。
【００６５】
図９および図１０は、図１に示したレコーダ用モジュール５００および実施の形態２に従うチューナシステム１０００のそれぞれの正面図である。図１１および図１２は、レコーダ用モジュール５００およびチューナシステム１０００のそれぞれの側面図である。図１３および図１４は、レコーダ用モジュール５００およびチューナシステム１０００をそれぞれ上面から見た平面図である。
【００６６】
図９を参照して、レコーダ用モジュール５００は基板８００上に実装される。レコーダ用モジュール５００の側面には、入力端子５０１，５０３およびループスルー端子５０２，５０４が、基板８００の実装面に対して水平方向に突出するように設けられる。
【００６７】
図１０を参照して、チューナシステム１０００は、基板８００上に実装される。具体的には、ＴＶ汎用モジュール６００が基板８００上に実装されて、放送波入力端子に相当する入力端子６０１，６０２は、基板８００の実装面に対して、垂直方向に沿って設けられる。さらに、分配器１００ａ，１００ｂの接続用端子１０５ａ，１０５ｂが、ＴＶ汎用モジュール６００の入力端子６０１，６０２と接続される。
【００６８】
この結果、チューナシステム１０００では、基板８００および分配器１００ａ，１００ｂの間に、上下方向に空きスペースが生じる。このスペースを利用して、チューナシステムの他の構成機器１９０，１９５を配置することができる。なお、図４と図２との比較から、分配器１００ａ，１００ｂは、ＴＶ汎用モジュール６００よりも構成部品が少ないので、ＴＶ汎用モジュール６００よりも小型化できることが理解される。
【００６９】
入力端子１０１ａ，１０１ｂおよびループスルー端子１０２ａ，１０２ｂは、レコーダ用モジュール５００の入力端子５０１，５０３およびループスルー端子５０２，５０４と同様に、分配器１００ａ，１００ｂの側面側に、入力端子６０１，６０２が設けられる方向（垂直方向）に対して交差する方向に沿って突出するように設けられる。本実施の形態では、入力端子１０１ａ，１０１ｂおよびループスルー端子１０２ａ，１０２ｂは、水平方向（モジュール実装面に対して平行な方向）に沿って設けられている。
【００７０】
図１１を参照して、図３でも示したように、レコーダ用モジュール５００は奥行き方向（図１１の左右方向）において、占有スペースが大きい。これに対して、図１２に示されるように、ＴＶ汎用モジュール６００は、図３でも示したようにレコーダ用モジュール５００よりも小型である。したがって、チューナシステム１０００は、レコーダ用モジュール５００と比較して、奥行き方向のサイズが縮小される。また、ＴＶ汎用モジュール６００は、天面出し伏せ型のモジュールであるので、モジュールの厚み、すなわち、上下方向のサイズはそれ程大きくならない。
【００７１】
図１３を参照して、レコーダ用モジュール５００は、奥行き方向（図１３の紙面左右方向）に加えて、幅方向（図１３の紙面上下方向）についてもサイズが大きい。
【００７２】
これに対して、図１４に示されるように、チューナシステム１０００では、ＴＶ汎用モジュール６００および分配器１００ａ，１００ｂを上下方向（図１４の紙面に対して鉛直方向）に重ねるように配置するので、特に、奥行き方向（図１４の紙面左右方向）のサイズを縮小することができる。
【００７３】
すなわち、図１４中において、基板８００上の点線で囲んだ領域８５０分だけ、チューナシステム１０００は、レコーダ用モジュール５００よりも占有スペースが縮小される。また、この領域８５０を利用して、チューナシステムの他の構成機器等を配置することが可能である。
【００７４】
なお、チューナシステム１０００では、上下方向についてはサイズが大きくなることが懸念されるが、ＴＶ汎用モジュール６００を天面出し伏せ型とすることで、サイズの増大を抑制することができる。また、図１０に示したように、上下方向へのサイズ増大によって、他の機器を配置可能なスペースを生じさせることができる。
【００７５】
また、図１３および図１４の比較から、実施の形態２に従うチューナシステム１０００における入力端子１０１ａ，１０１ｂおよびループスルー端子１０２ａ，１０２ｂは、レコーダ用モジュール５００の入力端子５０１，５０３と、ループスルー端子５０２，５０４と同様の態様で設けられることが理解される。
【００７６】
このように、実施の形態２によれば、実施の形態１または変形例に従う分配器と、ＴＶ汎用モジュールとの組み合わせによって、一般的なレコーダ用モジュール５００と同等の端子配置および機能を有するチューナシステム１０００を効率的に小さいサイズで構成することができる。
【００７７】
さらに、レコーダ用モジュール５００単体を製造する必要がなくなるので、チューナモジュールをＴＶ汎用モジュール６００に統合できる可能性も生じる。これにより、設計の汎用化でさらなるコスト向上を期待することができる。
【００７８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７９】
１００，１００ａ，１００ｂ  分配器、１０１，１０１ａ，１０１ｂ，５０１，５０３，６０１，６０２  入力端子（放送波端子）、１０２，１０２ａ，１０２ｂ，５０２，５０４  ループスルー端子、１０５，１０５ａ，１０５ｂ  接続用端子、１０７，１０８  接地端子、１１０，１１０ａ，１１０ｂ，５１０，５１５，６１０，６１５  増幅回路、１２０，１２０ａ，１２０ｂ，５２０，５２５，６２０，６２５  分配回路、１７０  電源端子、１８０，１８０ａ，１８０ｂ  電源回路、１８５  実装基板、１９０，１９５  構成機器、５００  レコーダ用モジュール、６００  ＴＶ汎用モジュール、８００  基板、１０００  チューナシステム、５３０，５４０，６３０，６４０  衛星チューナＩＣ、５５０，５６０，６５０，６６０  地上波チューナＩＣ。
【図１】
2014022971.tif 000003
【図２】
2014022971.tif 000004
【図３】
2014022971.tif 000005
【図４】
2014022971.tif 000006
【図５】
2014022971.tif 000007
【図６】
2014022971.tif 000008
【図７】
2014022971.tif 000009
【図８】
2014022971.tif 000010
【図９】
2014022971.tif 000011
【図１０】
2014022971.tif 000012
【図１１】
2014022971.tif 000013
【図１２】
2014022971.tif 000014
【図１３】
2014022971.tif 000015
【図１４】
2014022971.tif 000016